(57)【要約】【課題】大型化することのない構成でワイパブレードゴムの劣化を防ぎ、ワイパ装置の良好な拭き取り性能を維持することを可能にしたワイパ装置を提供すること。【解決手段】ワイパブレードを往復動作することで拭き取り面に付着した付着物を拭き取るワイパ装置において、ワイパブレードゴムと、前記ワイパブレードゴムを保持する保持手段と、前記ワイパブレードの位置に応じて、前記ワイパブレードゴムと前記保持手段の相対的な配置関係を変更する配置変更手段を有することを特徴とする。【選択図】図５
2020021971.tif 000002
【特許請求の範囲】
【請求項１】
ワイパブレードを往復動作することで拭き取り面に付着した付着物を拭き取るワイパ装置において、
ワイパブレードゴムと、
前記ワイパブレードゴムを保持する保持手段と、
前記ワイパブレードの位置に応じて、前記ワイパブレードゴムと前記保持手段の相対的な配置関係を変更する配置変更手段と、
を有することを特徴とするワイパ装置。
【請求項２】
前記配置変更手段は、駆動範囲にある時に、前記ワイパブレードゴムを拭き取り面に付勢する付勢手段と、停止位置にある時に、前記ワイパブレードゴムの拭き取り面の付勢を解除する付勢解除手段と、を有することを特徴とする請求項１に記載のワイパ装置。
【請求項３】
前記付勢解除手段は、前記保持手段と前記ワイパブレードゴムの隙間に配置された弾性部材と、前記ワイパブレードゴムと連結された付勢ピンと、前記ワイパブレードが停止位置にある時に前記付勢ピンと係合する位置に設けられた付勢解除部材と、
を有することを特徴とする請求項１又は請求項２に記載のワイパ装置。
【請求項４】
前記配置変更手段は、駆動範囲にある時に、前記ワイパブレードゴムを前記保持手段に押圧して固定する押圧手段と、前記ワイパブレードが停止位置にある時に、前記ワイパブレードゴムの押圧状態を解除する押圧解除手段と、を有することを特徴とする請求項１に記載のワイパ装置。
【請求項５】
前記押圧手段は、前記保持手段と前記ワイパブレードゴムの隙間に配置された押圧部材と、前記押圧部材を一方向に付勢する付勢手段と、を有することを特徴とする請求項１又は請求項４に記載のワイパ装置。
【請求項６】
前記押圧解除手段は、前記押圧部材に設けられたワイパブレード側磁性体と、前記ワイパブレードが停止位置にある時に、前記ワイパブレード側磁性体と対向する位置に設けられた押圧解除磁性体と、を有することを特徴とする請求項１、請求項４、請求項５の何れか一項に記載のワイパ装置。
【発明の詳細な説明】
【技術分野】
【０００１】
本発明は、拭き取り面に付着した付着物を拭き取るワイパ装置に関し、特にワイパブレードを有するワイパ装置に関する。
【背景技術】
【０００２】
従来から、車両の窓ガラスや光学装置の保護ガラスには、付着物を拭き取るためのワイパ装置が備えられている。ワイパ装置の拭き取り動作は、ワイパ装置に設けられたワイパブレードゴムを拭き取り面に押しつけながら拭き取ることで、付着物を除去する。その結果、車両の運転者においては良好な視界を得られ、光学装置においては良好な映像を得ることができる。
【０００３】
一般的なワイパ装置は、拭き取り動作を行わない際、ワイパブレードゴムを拭き取り面に押しつけた状態で停止している。ワイパブレードゴムは、クロロプレンゴムなどの弾性部材から作られているため、押しつけた状態が続くと、ゴムの変形による劣化が発生し、ワイパ装置の拭き取り性能が低下する場合がある。そのため、拭き取り動作を行わない際に、ゴムの変形による劣化を抑制することで、ワイパ装置の良好な拭き取り性能を維持する技術が知られている。
【０００４】
特許文献１には、ワイパシャフトまたはワイパゴムに、ワイパブレードゴムを窓ガラスから離間するデバイスを設けることでワイパブレードゴムの変形を抑制する技術が開示されている。特許文献２には、ワイパ装置の停止状態において、ワイパブレードゴムを収納する収納部を設けて、ワイパブレードゴムの変形を抑制する技術が開示されている。
【先行技術文献】
【特許文献】
【０００５】
【特許文献１】特開２００１−１５１０８２号公報
【特許文献２】特開２００４−９４０２１号公報
【発明の概要】
【発明が解決しようとする課題】
【０００６】
しかしながら、上記の特許文献１に開示された従来技術では、停止位置においてワイパブレードゴムを離間するための空間を要する。そのため、ワイパ装置が大型化する。上記の特許文献２に開示された従来技術では、停止位置においてワイパブレードゴムを収納するための収納部を要する。そのため、ワイパ装置が大型化する。
【０００７】
そこで、本発明の目的は、大型化することのない構成でワイパブレードゴムの劣化を防ぎ、ワイパ装置の良好な拭き取り性能を維持することを可能にしたワイパ装置を提供することにある。
【課題を解決するための手段】
【０００８】
上記の目的を達成するために、本発明に係るワイパ装置は、
ワイパブレードを往復動作することで拭き取り面に付着した付着物を拭き取るワイパ装置において、ワイパブレードゴムと、前記ワイパブレードゴムを保持する保持手段と、前記ワイパブレードの位置に応じて、前記ワイパブレードゴムと前記保持手段の相対的な配置関係を変更する配置変更手段を有することを特徴とする。
【発明の効果】
【０００９】
本発明によれば、大型化することのない構成でワイパブレードゴムの劣化を防ぎ、ワイパ装置の良好な拭き取り性能を維持することを可能にしたワイパ装置を提供することができる。
【図面の簡単な説明】
【００１０】
【図１】第一の実施例の全体斜視図
【図２】第一の実施例の正面図
【図３】第一の実施例のＡ−Ａ断面図およびＢ−Ｂ断面図
【図４】第一の実施例の拭き取り動作の説明図
【図５】第一の実施例のＣ−Ｃ断面図
【図６】第一の実施例のＤ−Ｄ断面図
【図７】第二の実施例の全体斜視図
【図８】第二の実施例の正面図
【図９】第二の実施例のＦ−Ｆ断面図およびＧ−Ｇ断面図
【図１０】第二の実施例の拭き取り動作の説明図
【図１１】第二の実施例のＨ−Ｈ断面図
【図１２】第二の実施例のＩ−Ｉ断面図
【発明を実施するための形態】
【００１１】
以下に、本発明の好ましい実施の形態を、添付の図面に基づいて詳細に説明する。図１から図１２は、本発明の実施形態にかかわるワイパ装置である。
【実施例１】
【００１２】
１−１．概要
以下、図１から図６を参照して、本発明の第１の実施例による、ワイパ装置について説明する。
【００１３】
１−２．構成
１−２−１．ワイパ装置の全体構成
図１に基づいて、ワイパ装置の全体構成について説明する。図１はワイパ装置の全体斜視図である。
【００１４】
図１に示すように、レンズ１０１・レンズカバー１０２・ワイパユニット１０３から構成される。レンズ１０１は、レンズ拭き取り面１０１ａを外部に露出するようにレンズカバー１０２に覆われている。ワイパユニット１０３は、レンズ拭き取り面１０１ａの前面に配置され、レンズカバー１０２に取付けられている。
【００１５】
１−２−２．ワイパユニット１０３の構成の説明
図１・図２・図３に基づいて、ワイパユニット１０３の構成について説明する。図２は、ワイパユニット１０３の正面図を示している。図３（ａ）は、ワイパユニット１０３のＡ−Ａ断面図を示している。図３（ｂ）は、ワイパユニット１０３のＢ−Ｂ断面図を示している。
【００１６】
ワイパユニット１０３は、モータ１２・アーム１３・アーム保持軸１４・ピン受け部材１５・ワイパブレードホルダ１６・ワイパブレードゴム１７・ワイパブレードゴムケース１８・バネ２０・挿入ピン２１から構成される。
【００１７】
モータ１２は、レンズカバー１０２の内部に固定されており、レンズカバー１０２に設けられた不図示の穴からモータ１２の出力軸のみが外部に突出している。また、モータ１２は、不図示のワイパ制御部と接続されている。
【００１８】
アーム１３は、モータ１２と、キーなどの公知の機械要素により接続されている。
【００１９】
ワイパブレードホルダ１６には、アーム保持軸１４が設けられており、アーム１３と回転可能に保持されている。
【００２０】
ワイパブレードゴムケース１８は、ワイパブレードゴム１７および挿入ピン２１と一体となっており、ワイパブレードホルダ１６の内部に取付けされている。
【００２１】
ワイパブレードホルダ１６とワイパブレードゴムケース１８の取付け関係について述べる。ワイパブレードホルダ１６には、長溝１９ａ部と長溝１９ｂ部からなる長溝１９が設けられ、挿入ピン２１が長手方向に自由な状態で嵌められている。さらに、ワイパブレードホルダ１６とワイパブレードゴムケース１８の間にはバネ２０が配置されており、バネ２０により、ワイパブレードゴム１７およびワイパブレードゴムケース１８は、レンズ拭き取り面１０１ａに押しつけられている。
【００２２】
ピン受け部材１５は、レンズカバー１０２に取付けられている。ピン受け部材１５は、挿入ピン２１との嵌めあい用としてのピン受け部１５ａとテーパー部１５ｂを備えている。
【００２３】
ピン受け部材１５と挿入ピン２１の配置関係について述べる。挿入ピン２１が長溝１９ａ部側に位置する際、挿入ピン２１の中心とピン受け部１５ａの中心が略一致するように配置されている。挿入ピン２１が長溝１９ｂ部側に位置する際、挿入ピン２１の中心がピン受け部１５ｂの範囲に位置するように配置されている。
【００２４】
１−３．作用
１−３−１．ワイパ装置の拭き取り動作の説明
図４に基づいて、ワイパユニット１０３の拭き取り動作について説明する。
【００２５】
図４（ａ）は停止位置、図４（ｂ）は拭き取り往動作位置、図４（ｃ）は折り返し端位置、図４（ｄ）は拭き取り復動作位置、図４（ｅ）は停止位置におけるワイパユニットの動作状態を示している。不図示の制御部からモータ１２に動作信号が与えられると、モータ１２は正回転と逆回転をする。すると、ワイパユニット１０３は図４の（ａ）→（ｂ）→（ｃ）→（ｄ）→（ｅ）の順に往復動作を行い、レンズ部１０１ａの付着物を拭き取る。
【００２６】
１−３−２．ワイパユニット１０３の拭き取り復動作の説明
図５に基づいて、ワイパ装置の拭き取り復動作について説明する。図５は、図４（ｄ）におけるＣ−Ｃ断面図を示している。往動作と復動作及び折り返し端の作用は同様であるため、復動作のみについて述べる。
【００２７】
ワイパブレードゴムケース１８は、バネ２０によってレンズ拭き取り面１０１ａに押しつけられながら復動作をしている。ワイパブレードゴムケース１８と一体となっているワイパブレードゴム１７は、クロロプレンゴムなどの弾性部材から作られているため、レンズ拭き取り面１０１ａにならうように変形する。したがって、レンズ拭き取り面１０１ａ上の付着物は、ワイパブレードゴム１７によって拭き取られる。
【００２８】
１−３−３．ワイパユニット１０３の停止位置の説明
図６に基づいて、ワイパ装置の停止位置について説明する。図６は、図４（ａ）におけるＤ−Ｄ断面図を示している。図６中に、レンズ１０１の有効光線１０１ｂを示す。
【００２９】
ワイパブレードゴムケース１８は、一体となった挿入ピン２１がピン受け部材１５に嵌り、バネ２０が潰れるため、レンズ拭き取り面１０１ａから離れる方向に動作する。ワイパブレードゴムケース１８と一体となっているワイパブレードゴム１７は、レンズ拭き取り面１０１ａから離れて、変形のない初期形状となる。
【００３０】
ピン受け部材１５に挿入ピン２１が入り込む際には、挿入ピン２１は、テーパー部１５ｂによってピン受け部１５ａの中心に導かれながら挿入される。
【００３１】
停止位置におけるワイパユニット１０３は、有効光線１０１ｂより外に位置する。
【００３２】
１−４．効果
図５及び図６に基づいて、実施例１におけるワイパ装置の効果について説明する。
【００３３】
ワイパ装置の往復動作において、ワイパブレードゴム１７は、レンズ拭き取り面１０１ａの表面にならうように変形して動作するので、付着物を綺麗に拭き取ることができる。したがって、レンズ１０１は、ワイパ装置を用いることで良好な撮影映像を得ることができる。
【００３４】
ワイパ装置の停止位置において、ワイパブレードゴム１７は、レンズ拭き取り面１０１ａから離れた状態となっているため、変形しない。停止位置においてゴムの変形による劣化が発生しないため、ワイパ装置の良好な拭き取り性能を維持することができる。ワイパ装置は、付着物を拭き取る時のみに使用する装置であるから、使用しない期間の劣化を防いで性能を維持する効果は大きい。
【００３５】
本実施例におけるワイパ装置は、従来技術に挙げられるように、レンズ拭き取り面１０１ａの同一平面上に収納部を設けたり、レンズ拭き取り面１０１ａからワイパブレードホルダ１６あるいはアーム１３を拭き取り面から離間する必要がしない。したがって、ワイパブレードゴム１７をレンズ拭き取り面１０１ａから離れた状態するために、大型化することない構成でワイパブレードゴム１７の変形を抑制できる。大型化することのない構成であるから、ワイパユニット１０３は、レンズカバー１０２より内側であって、有効光線１０１ｂより外側に配置することができる。
【００３６】
以上の構成によって、大型化することのない構成でワイパブレードゴムの劣化を防ぎ、ワイパ装置の良好な拭き取り性能を維持することを可能にしたワイパ装置を提供することができる。
【実施例２】
【００３７】
２−１．概要
以下、図７〜図１２を参照して、本発明の第２の実施例による、ワイパ装置について説明する。なお、本実施例の形態では第一の実施例とは異なる部分についてのみ説明を行い、その他同一の部分については同一の符号を付して、説明を省略する。
【００３８】
２−２．構成
２−２−１．ワイパ装置の全体構成
図７に基づいて、ワイパ装置の全体構成について説明する。図７はワイパ装置の全体斜視図である。図７に示すように、ハウジング窓２０１・ハウジング２０２・ワイパユニット２０３から構成される。ハウジング窓２０１は、ハウジング２０２の開口部を塞ぐように設けられている。ワイパユニット２０３は、ハウジング窓２０１の前面に配置され、ハウジング２０２に取付けられている。
【００３９】
２−２−２．ワイパユニット２０３の構成の説明
図７、図８、図９に基づいて、ワイパユニット２０３の構成について説明する。
【００４０】
図８は、ワイパユニット２０３の正面図を示している。図８（ａ）は、ワイパユニット２０３のＡ−Ａ断面図を示している。図８（ｂ）は、ワイパユニット２０３のＢ−Ｂ断面図を示している。
【００４１】
ワイパユニット２０３は、モータ１２・アーム１３・アーム保持軸１４・ワイパブレードゴム１７・ワイパブレードホルダ２２・ワイパブレードゴムケース２３・バネ２４・片寄せピン２５・片寄せピン側磁石２６・ハウジング側磁石２７・ハウジング側磁石支持部材２８から構成される。
【００４２】
モータ１２は、ハウジング２０２の内部に固定されており、ハウジング２０２に設けられた不図示の穴からモータ１２の出力軸が外部に突出している。また、不図示のワイパ制御部と接続されている。
【００４３】
アーム１３は、モータ１２と、キーなどの公知の機械要素により接続されている。
ワイパブレードホルダ２２には、アーム保持軸１４が設けられており、アーム１３と回転可能に保持されている。
【００４４】
ワイパブレードゴムケース２３は、ワイパブレードゴム１７と一体となっており、ワイパブレードホルダ２２の内部に取付けされている。
【００４５】
ワイパブレードホルダ２２とワイパブレードゴムケース２３の取付け関係について述べる。ワイパブレードホルダ２２には、片寄せピン貫通穴部２２ａが設けられていて、片寄せピン２５が貫通穴に取付けられている。片寄せピン２５は、２５ｂ面側に、片寄せピン側磁石２６が取付けられている。
【００４６】
ワイパブレードホルダ２２と２５ｂ面側の片寄せピン２５の間には、バネ２４が配置されている。ワイパブレードゴム１７およびワイパブレードゴムケース２３は、ワイパブレードホルダ２２に片寄せされて固定されている。
【００４７】
ハウジング側磁石支持部材２８は、ハウジング２０２に取付けられている。ハウジング側磁石支持部材２８には、片寄せピン側磁石２６の吸着用としてのハウジング側磁石２７を備えている。
【００４８】
片寄せピン側磁石２６とハウジング側磁石２７の配置関係について述べる。
【００４９】
片寄せピン側磁石２６のハウジング側磁石２７の中心は、略一致するように配置されている。片寄せピン側磁石２６とハウジング側磁石２７は、引き合う関係の磁性でなければならない。例えば、片寄せピン側磁石２６の２６ａがＮ極・２６ｂがＳ極であれば、２７ａはＮ極・２６ｂはＳ極でなければならない。あるいは、片寄せピン側磁石２６の２６ａがＳ極・２６ｂがＮ極であれば、２７ａはＳ極・２６ｂはＮ極でなければならない。片寄せピン側磁石２６とハウジング側磁石２７の間に発生する磁力は、バネ２４に発生する弾性力よりも大きい力でなければならない。
【００５０】
２−３．作用
２−３−１．ワイパ装置の拭き取り動作の説明
図１０に基づいて、ワイパユニット２０３の拭き取り動作について説明する。
【００５１】
図１０（ａ）は停止位置、図１０（ｂ）は拭き取り往動作位置、図１０（ｃ）は折り返し端位置、図１０（ｄ）は拭き取り復動作位置、図１０（ｅ）は停止位置におけるワイパユニットの動作状態を示している。
【００５２】
不図示の制御部からモータ１２に動作信号が与えられると、モータ１２は正回転と逆回転をする。すると、ワイパユニット２０３は図１０の（ａ）→（ｂ）→（ｃ）→（ｄ）→（ｅ）の順に往復動作を行い、ハウジング窓拭き取り面２０１ａの付着物を拭き取る。
【００５３】
２−３−２．ワイパユニット２０３の拭き取り復動作の説明
図１１に基づいて、ワイパ装置の拭き取り復動作について説明する。
【００５４】
図１１は、図１０（ｄ）におけるＨ−Ｈ断面図を示している。往動作と復動作及び折り返し端の作用は同様であるため、復動作のみについて述べる。
【００５５】
ワイパブレードゴムケース２３は、片寄せピン２５によってワイパブレードホルダ２２に片寄せされている。
【００５６】
ワイパブレードゴムケース２３と一体となっているワイパブレードゴム１７は、クロロプレンゴムなどの弾性部材から作られているため、ハウジング窓拭き取り面２０１ａにならうように変形する。したがって、ハウジング窓拭き取り面２０１ａ上の付着物は、ワイパブレードゴム１７によって拭き取られる。
【００５７】
２−３−３．ワイパユニット２０３の停止位置の説明
図１２に基づいて、ワイパ装置の拭き取り復動作について説明する。
【００５８】
図１２は、図１０（ａ）におけるＩ−Ｉ断面図を示している。
【００５９】
停止位置において、片寄せピン側磁石２６とハウジング側磁石２７は引き合う。そのため、片寄せピン２５はハウジング側に寄せられ、ワイパブレードホルダ２２とワイパブレードゴムケース２３の間に隙間ができる。ワイパブレードゴム１７には、変形のない初期形状に復元する力が発生するため、ハウジング窓拭き取り面２０１ａから離れて、ワイパブレードホルダ２２とワイパブレードゴムケース２３の間に隙間に退避する。
【００６０】
２−４．効果
図１１及び図１２に基づいて、実施例２におけるワイパ装置の効果について説明する。
【００６１】
ワイパ装置の往復動作において、ワイパブレードゴム１７は、ハウジング窓拭き取り面２０１ａの表面にならうように変形して動作するので、付着物を綺麗に拭き取ることができる。したがって、ハウジング２０２は、ワイパ装置を用いることで良好な撮影映像を得ることができる。
【００６２】
ワイパ装置の停止位置において、ワイパブレードゴム１７は、レンズ拭き取り面１０１ａから離れるため、変形が低減する。ゴムの変形による劣化が低減するため、ワイパ装置の良好な拭き取り性能を維持することができる。ワイパ装置は、付着物を拭き取る時のみに使用する装置であるから、使用しない期間の劣化を防いで性能を維持する効果は大きい。
【００６３】
本実施例におけるワイパ装置は、従来技術に挙げられるように、ハウジング窓拭き取り面２０１ａの同一平面上に収納部を設けたり、ハウジング窓拭き取り面２０１ａからワイパブレードホルダ２２とあるいはアーム１３を拭き取り面から離間する必要がしない。したがって、ワイパブレードゴム１７をハウジング窓拭き取り面２０１ａから離れた状態するために、大型化することのない構成でワイパブレードゴム１７の変形を抑制できる。
【００６４】
以上の構成によって、大型化することのない構成でワイパブレードゴムの劣化を防ぎ、ワイパ装置の良好な拭き取り性能を維持することを可能にしたワイパ装置を提供することができる。
【００６５】
以上、本発明の好ましい実施形態について説明したが、本発明はこれらの実施形態に限定されず、その要旨の範囲内で種々の変形及び変更が可能である。
【符号の説明】
【００６６】
１０３  ワイパユニット、１５  ピン受け部材、
１６  第一の実施例のワイパブレードホルダ、１７  ワイパブレードゴム、
２１  挿入ピン、２０３  ワイパユニット、２２  ワイパブレードホルダ、
２４  バネ、２５  片寄せピン、２６  片寄せピン側磁石、
２７  ハウジング側磁石、２８  ハウジング側磁石支持部材
【図１】
2020021971.tif 000003
【図２】
2020021971.tif 000004
【図３】
2020021971.tif 000005
【図４】
2020021971.tif 000006
【図５】
2020021971.tif 000007
【図６】
2020021971.tif 000008
【図７】
2020021971.tif 000009
【図８】
2020021971.tif 000010
【図９】
2020021971.tif 000011
【図１０】
2020021971.tif 000012
【図１１】
2020021971.tif 000013
【図１２】
2020021971.tif 000014